(57)【特許請求の範囲】
【請求項１】
チューナーを介して受信信号を入力する受信信号入力端子と、再生装置から再生信号を入力する再生信号入力端子とを有し、当該信号を切り替えて出力する信号切換装置であり、
前記受信信号入力端子から入力した信号を記録し、当該記録した信号を再生する記録再生手段と、
前記受信信号を逐次記憶し、所定の遅延時間の後に記録した受信信号を再生し、この一次記録再生信号を順次出力する一次記録再生手段と、
前記受信信号入力端子、再生信号入力端子、記録再生手段、および一次記録再生手段から入力した各信号を切り替えて出力するマルチプレクサと、
前記マルチプレクサの切り替えを制御する制御手段とを信号切換装置内に備え、
前記制御手段は、
前記受信信号の信号レベルの低下が発生してから前記所定時間以内では、前記一次記録再生手段からの一次記録再生信号に切り替えて出力し、
前記信号レベルの低下が発生してから前記所定時間が経過した後には、前記再生信号入力端子からの再生信号、又は記録再生手段からの再生信号に切り換えて出力することを特徴とする信号切換装置。
【請求項２】
前記制御手段は、前記受信信号の信号レベルが復帰したときには、直ちに前記受信信号入力端子からの受信信号に切り換えて出力することを特徴とする請求項１に記載の信号切換装置。
【請求項３】
前記制御手段は、前記受信信号の信号レベルが復帰したときには、前記再生信号の終了時あるいは再生信号に付したマーカー信号の検出時に、前記受信信号入力端子からの受信信号に切り換えて受信信号を出力することを特徴とする請求項１に記載の信号切換装置。
【請求項４】
前記制御手段は、前記受信信号の信号レベルが復帰したときには、設定時刻時に、前記受信信号入力端子からの受信信号に切り換えて受信信号を出力することを特徴とする請求項１に記載の信号切換装置。
【請求項５】
前記再生装置が再生する再生信号は広告情報を含むことを特徴とする請求項１から請求項４の何れか一つに記載の信号切換装置。
【請求項６】
前記チューナー及び又は再生装置を内部に含むことを特徴とする請求項１から請求項５の何れか一つに記載の信号切換装置。
【請求項７】
前記記録再生手段は、ネットワークを介してデータをダウンロードしデータ更新を自在とすることを特徴とする請求項１から請求項６の何れか一つに記載の信号切換装置。
【請求項８】
前記記録再生手段は、予めデータを格納することを特徴とする請求項１から請求項６の何れか一つに記載の信号切換装置。
【請求項９】
セットトップボックスに内蔵されることを特徴とする請求項１から請求項８の何れか一つに記載の信号切換装置。
【請求項１０】
モニタ受像装置に内蔵されることを特徴とする請求項１から請求項８の何れか一つに記載の信号切換装置。
【請求項１１】
録画装置に内蔵されることを特徴とする請求項１から請求項８の何れか一つに記載の信号切換装置。
【発明の詳細な説明】
【０００１】
【発明の属する技術分野】
本発明は、チューナーから出力される受信信号と、再生装置及び又は記録再生手段から出力される再生信号とを切り換えて出力する信号切換装置に関する。
【０００２】
【従来の技術】
テレビジョン受像機等の受信装置においては、チューナーで受信した受信信号を受像機のモニタ画面に表示している。このような受信装置では、例えば、電波状態や放送局側の故障等によって、受信信号の受信レベルの低下し、最悪の場合には受信信号が停止した場合には、受信信号を表示することができなくなるため、ブルーバック信号を出力して、いわゆるブルーバックと呼ばれる青一色の映像を映し出している。
【０００３】
【発明が解決しようとする課題】
モニタ画面上にブルーバックが映し出されている場合には、青一色の映像のみが表示されているため、例えば、モニタが公共の場所に設置されている場合等には、モニタにはなんら有益な画像されず、モニタを設置している施設にとっても又モニタから情報を得る者にとっても、モニタとしての有効な活用がなされないことになる。
【０００４】
そこで、本発明は、受信信号の受信レベルが低下してモニタ画面上に画像表示が困難となった場合であっても、モニタを有効活用させることができることを目的とする。
【０００５】
【課題を解決するための手段】
本発明の信号切換装置は、受信信号の受信レベルが低下した場合であっても、再生装置の再生信号あるいは記録再生手段の再生信号をモニタ画面上にさせることによって、モニタ画面上の画像を途切れさせることなく常に表示させるものである。
本発明の信号切換装置は、上記動作をさせるために、チューナーを介して受信信号を入力する受信信号入力端子と、再生装置から再生信号を入力する再生信号入力端子と、記録再生手段とを備えた構成とし、受信信号入力端子を再生信号入力端子や記録再生手段よりも優先して切り換る。この受信信号入力端子を優先して切換ることによって、受信信号入力端子に受信信号が入力されている間においては当該受信信号をモニタ画面上に表示させ、受信信号入力端子に受信信号が入力されていない場合や受信信号の信号レベルが低下した場合には、再生装置や記録再生手段の再生信号をモニタ画面上に表示させ、これによってモニタ画面上に常に画像を表示させておくことができる。
【０００６】
本発明の信号切換装置の一態様は、チューナーを介して受信信号を入力する受信信号入力端子と、再生装置から再生信号を入力する再生信号入力端子と、記録再生手段とを備えた構成とし、受信信号の信号レベルが低下したときには、再生信号入力端子又は記録再生手段に切り換え、再生信号を出力する。この切り換えによって受信信号入力端子の優先切換を行う。
【０００７】
また、本発明の信号切換装置は、種々の態様で再生装置から再生信号を入力することができる。再生装置に対する第１の態様は、再生装置又は記録再生手段に対して、信号レベルの低下状態の継続時間に応じて再生内容を選択させ、選択した再生信号を出力するものである。この第１の態様によれば、例えば、はじめに短時間の再生内容を表示させ、受信信号のレベル低下が長引く場合には長時間の再生内容を表示させることができる。
【０００８】
再生装置に対する第２の態様は、再生装置に対して、前記信号レベルの低下が発生した時間帯に応じて再生内容を選択させ、選択した再生信号を出力するものである。この第２の態様によれば、時間帯によってモニタの利用者の年齢層や性別や職業種が異なる場合には、多数の利用者に適した再生内容を選択することで、モニタを有効活用することができる。
【０００９】
本発明の信号切換装置の他の態様は、チューナーを介して受信信号を入力する受信信号入力端子と、再生装置から再生信号を入力する再生信号入力端子と、前記チューナーを介して受信信号を記録し、記録再生信号を所定時間遅延して出力する一次記録再生装置から記録再生信号を入力する一時記録再生信号入力端子と、記録再生手段とを備えた構成とし、信号レベルの低下が発生してから所定時間以内では、一次記録再生信号入力端子に切り換えて一次記録再生信号を出力し、信号レベルの低下が発生してから所定時間が経過した後には、再生信号入力端子又は記録再生手段に切り換えて再生信号を出力する。この切り換えによって受信信号入力端子の優先切換を行う。この態様によれば、信号レベルの低下や停止が、遅延時間内の短時間であれば受信信号によってモニタ表示することができる。
【００１０】
また、本発明の信号切換装置は、受信信号の信号レベルの低下や停止が回復して受信信号が復帰した場合には、種々の態様で受信信号入力端子へ戻すことができる。
受信信号入力端子へ戻す第１の態様は、受信信号の信号レベルが復帰したときに、直ちに受信信号入力端子に切り換えて受信信号を出力する態様であり、第２の態様は、受信信号の信号レベルが復帰したときに、再生信号の終了あるいは再生信号に付したマーカー信号を検出し、この時点で受信信号入力端子に切り換えて受信信号を出力する。この態様によれば、再生内容を中断することなくモニタに表示した後、受信信号による表示を再開することができる。
【００１１】
受信信号入力端子へ戻す第３の態様は、受信信号の信号レベルが復帰したときに、定時刻などあらかじめ設定した時刻となった時点で、受信信号入力端子に切り換えて受信信号を出力する。この態様によれば、受信信号による表示を定時刻などあらかじめ設定した時刻から再生することができ、放送内容の表示をはじめから行うことができる。
【００１２】
また、本発明の信号切換装置に適用する再生装置が再生する再生信号は広告情報を含むことができ、再生信号入力端子に切り換えられた場合には、モニタに広告情報を表示することができる。
また、信号切換装置はチューナー及び再生装置を別体の装置として有線あるいは無線で接続する構成の他、チューナーと再生装置の両方装置あるいはいずれか一方の装置を内蔵する構成とすることもできる。
【００１３】
また、記録再生手段に記録するデータは、ネットワークを介してダウンロードすることによってデータを更新自在とする他、予めデータを格納した固定データとすることもできる。
さらに、本発明の信号切換装置は、セットトップボックスやモニタ受像装置や録画装置に内蔵される構成とすることもできる。
【００１４】
【発明の実施の形態】
以下、本発明の実施の形態を図を参照しながら詳細に説明する。
図１〜図５を用いて本発明の信号切換装置の第１の形態について説明し、図６〜図８を用いて本発明の信号切換装置の第２の形態について説明し、図９〜図１１を用いて本発明の信号切換装置の第３の形態について説明し、図１２〜図１４を用いて本発明の信号切換装置の第４の形態について説明する。また、図１５、１６を用いて本発明の信号切換装置のと他装置との組み合わせについて説明する。
【００１５】
なお、第１〜第４の形態は、信号の切り換えの形態を異にするものであり、第１の形態は受信信号の中断時に再生信号に切り換える構成例であり、第２の形態は受信信号の中断継続時間に応じて再生内容を切り換える構成例であり、第３の形態は受信信号の中断が発生した時刻に応じて再生内容を切り換える構成例であり、第４の形態は受信信号を所定時間遅延させることで、受信信号の短時間中断による表示の中断を防止する構成例である。
【００１６】
はじめに、本発明の信号切換装置の第１の形態について説明する。図１は本発明の信号切換装置の第１の形態を説明する概略図であり、図２から図４は第１の形態の動作例を説明するためのフローチャートであり、図５は第１の形態の動作例を説明するための信号状態図である。
図１において、信号切換装置１は、受信信号を入力する受信信号入力端子２１、再生信号を入力する再生信号入力端子２２、記録した信号を再生する記録再生手段５、及び画像信号を出力する出力端子２５、オーディオ信号を出力する出力端子２６（Ｌチャンネル用），２７（Ｒチャンネル用）を備える。
【００１７】
受信信号入力端子２１には、受信手段２及びチューナー３で受信し選択された受信信号を入力する。受信信号としては、画像信号、Ｌチャンネル用のオーディオ信号、及びＲチャンネル用のオーディオ信号がある。また、画像信号としては、動画信号、静止画像信号、文字信号がある。再生信号入力端子２２には、再生装置４で再生された再生信号を入力する。再生信号としては、受信信号と同様に、画像信号、Ｌチャンネル用のオーディオ信号、及びＲチャンネル用のオーディオ信号がある。
【００１８】
一方、出力端子２５は、前記受信信号入力端子２１から入力した画像信号、あるいは再生信号入力端子２２から入力した画像信号、記録再生手段５から再生された画像信号を切り換えて出力する。出力端子２６，２７は、前記受信信号入力端子２１から入力したオーディオ信号、あるいは再生信号入力端子２２から入力したオーディオ信号、記録再生手段５から再生されたオーディオ信号を切り換えて出力する。この信号切り換えにおいて、受信信号入力端子２１から入力される信号を、再生信号入力端子２２から入力される信号あるいは記録再生手段５から再生される信号より優先し、受信信号入力端子２１からの入力信号が中断したときに、再生信号入力端子２２からの入力信号あるいは記録再生手段５からの出力信号に切り換え、出力端子２５，２６，２７から出力信号を出力させる。
【００１９】
上記信号切り換えを行うために、信号切換装置１は、制御手段１１，画像信号検出手段１２，画像信号マルチプレクサ１３，オーディオ信号マルチプレクサ１４，バッファ１５，１６，１７を備える。画像信号検出手段１２は、受信信号入力端子２１に入力される画像信号を入力し、チューナー３から画像信号が入力されているか否かを検出し、検出結果を制御手段１１に送る。制御手段１１は、画像信号検出手段１２からの検出結果に基づいて、記録再生手段５、画像信号マルチプレクサ１３、及びオーディオ信号マルチプレクサ１４を制御する。
【００２０】
ここで、画像信号マルチプレクサ１３には、受信信号入力端子２１の画像端子部、再生信号入力端子２２の画像端子部、及び記録再生手段５の画像端子部が接続される。受信信号入力端子２１からは受信信号の画像信号を入力し、再生信号入力端子２２から再生信号の画像信号を入力し、記録再生手段５から画像信号を入力する。画像信号マルチプレクサ１３は、動画処理部１３ａと静止画像処理部１３ｂと文字処理部１３ｃを備え、動画データ、静止画データ、及び文字データの各画像データを処理する。
【００２１】
一方、オーディオ信号マルチプレクサ１４には、受信信号入力端子２１のオーディオ端子部、再生信号入力端子２２のオーディオ端子部、及び記録再生手段５のオーディオ端子部が接続され、受信信号入力端子２１から受信信号のオーディオ信号を入力し、再生信号入力端子２２から再生信号のオーディオ信号を入力、記録再生手段５からオーディオ信号を入力する。
【００２２】
制御手段１１は、画像信号検出手段１２の信号に基づいて、受信信号入力端子２１に受信信号が入力されている場合には、画像信号マルチプレクサ１３を切り換えて、受信信号入力端子２１から入力した受信信号に含まれる画像信号をバッファ１５を介して出力端子２５に出力させ、また、オーディオ信号マルチプレクサ１４を切り換えて、受信信号入力端子２１から入力した受信信号に含まれるオーディオ信号をバッファ１６，１７を介して出力端子２６，２７に出力させる。
【００２３】
一方、受信信号入力端子２１に受信信号が入力されていない場合には、再生装置４あるいは記録再生手段５を制御して駆動させると共に、画像信号マルチプレクサ１３を切り換えて、再生信号入力端子２２から入力した再生信号又は記録再生手段５の出力信号に含まれる画像信号をバッファ１５を介して出力端子２５に出力させ、また、オーディオ信号マルチプレクサ１４を切り換えて、再生信号入力端子２２から入力した再生信号に含まれるオーディオ信号又は記録再生手段５の出力信号に含まれるオーディオ信号をバッファ１６，１７を介して出力端子２６，２７に出力させる。
【００２４】
なお、再生装置４に接続される再生信号入力端子２２と記録再生手段５の何れかを優先させるかは、制御手段１１に予め設定させておく他、図示しない入力手段によって制御手段１１に設定あるいは切り換える。また、再生信号入力端子２２に再生装置４が不接続である場合や再生信号入力端子２２に信号が入力されていない場合には、記録再生手段５の出力信号を用いる。
【００２５】
したがって、制御手段は、受信信号の信号レベルの低下や停止した場合に受信信号を、再生装置あるいは記録再生手段の再生信号に切り換える。また、制御手段は、受信信号の信号レベルの低下や停止が回復することによって受信信号が復帰した場合には、種々の態様で受信信号入力端子へ戻す。
【００２６】
次に、図１に示した第１の形態における動作態様例について、図２〜図４のフローチャート、及び図５の信号状態図を用いて説明する。
受信信号入力端子へ戻す態様の第１は、受信信号の信号レベルが復帰したときに、直ちに受信信号入力端子に切り換えて受信信号を出力する態様である。はじめに、この第１の動作態様を図２のフローチャートを用いて説明する。
【００２７】
第１の動作態様では、受信手段２及びチューナー３により受信信号の画像信号を画像信号検出手段１２で検出する。画像信号検出手段１２は、入力する画像信号の信号レベルを所定の信号レベルと比較する等の信号処理によって、画像表示に不適な程まで画像信号レベルが低下しているか、さらに画像信号が停止しているか、あるいは十分な信号レベルを備えているかを判定し、検出結果を制御手段１１に送る。
【００２８】
画像信号の信号レベルが十分である場合には、制御手段１１は画像信号マルチプレクサ１３に対して受信信号入力端子２１に切り換えさせ、チューナー３からの受信信号（画像信号）をバッファ１５を介して出力端子２５に出力する。出力端子２５には図示しない表示装置が接続され、画面上に画像表示される。また、制御手段１１はオーディオ信号マルチプレクサ１４に対して受信信号入力端子２１に切り換えさせ、チューナー３からの受信信号（オーディオ信号）をバッファ１６，１７を介して出力端子２６，２７に出力する。出力端子２６，２７には図示しないスピーカが接続され、音声表示される（ステップＳ１）。
【００２９】
電波状態の悪化、送信側の故障、あるいは受信手段の故障等によって、受信信号レベルが低下あるいは中断した場合には（図５（ａ）中のＡ）、画像信号検出手段１２はこの検出結果を制御手段１１に送る（ステップＳ２）。制御手段１１はこの検出結果を受け、再生装置４又は記録再生手段５の駆動を開始させる（図５（ｂ）中のＢ）。再生装置４及び記録再生手段５には、予め画像情報や音声情報が記録されており、再生信号は再生信号入力端子２２を介して画像信号マルチプレクサ１３やオーディオ信号マルチプレクサ１４に入力される。再生装置４記録再生手段５に記録する情報として例えば広告情報とすることができる。また、記録再生手段５はネットワークを介して受信した配信情報を記録することができる（ステップＳ３）。
【００３０】
また、制御手段１１は画像信号マルチプレクサ１３及びオーディオ装置マルチプレクサ１４に切換制御信号を送り、受信信号入力端子２１との接続を再生信号入力端子２２又は記録再生手段５との接続に切り換え、これらの再生信号を各出力端子２５，２６，２７から出力させ、画像表示あるいは音声表示させる（図５（ｃ）中のＣ）（ステップＳ４）。
【００３１】
この後、電波状態の悪化、送信側の故障、あるいは受信手段の故障等が回復した場合には（図５（ａ）中のＤ）、画像信号検出手段１２はこの受信信号の回復結果を制御手段１１に送る（ステップＳ５）。制御手段１１はこの検出結果を受け、再生装置４又は記録再生手段５の駆動を停止させると共に（図５（ｂ）中のＥ）、画像信号マルチプレクサ１３及びオーディオ装置マルチプレクサ１４に切換制御信号を送り、接続を再生信号入力端子２２あるいは記録再生手段５から受信信号入力端子２１に切り換え、ステップＳ１に戻って受信信号を各出力端子２５，２６，２７から出力させ、画像表示あるいは音声表示させる（図５（ｂ）中のＦ）。
【００３２】
次に、受信信号入力端子へ戻す態様の第２は、受信信号の信号レベルが復帰したときに、再生信号の終了あるいは再生信号に付したマーカー信号を検出し、この検出時点で受信信号入力端子に切り換えて受信信号を出力する態様である。この第２の動作態様を図３のフローチャートを用いて説明する。
第２の動作態様では、前記した第１の動作態様と同様にして、ステップＳ１〜ステップＳ４の工程においてチューナー信号の中断に伴う処理を行い、再生信号を出力させる。なお、図５（ｄ）中のＡは図５（ａ）中のＡに対応し、図５（ｅ）中のＢは図５（ｂ）中のＢに対応し、図５（ｆ）中のＣは図５（ｃ）中のＣに対応している。
【００３３】
この後、電波状態の悪化、送信側の故障、あるいは受信手段の故障等が回復した場合には（図５（ｄ）中のＤ）、画像信号検出手段１２はこの受信信号が回復したことを検出して制御手段１１に送る（ステップＳ５）。制御手段１１はこの検出結果を受けると、直ちに受信信号への切り換えを行なわず、再生終了を示す終了信号、あるいは再生信号中に予め設けておいたマーカー信号が検出されるまで再生信号入力端子２２又は記録再生手段５との接続を維持し、前記終了信号あるいはマーカー信号を検出した検出した時点で再生装置４あるいは記録再生手段５の駆動を停止させると共に（図５（ｅ）中のＧ）、画像信号マルチプレクサ１３及びオーディオ装置マルチプレクサ１４に切換制御信号を送り、接続を再生信号入力端子２２又は記録再生手段５から受信信号入力端子２１に切り換え、ステップＳ１に戻って受信信号を各出力端子２５，２６，２７から出力させる。なお、マーカー信号は例えば再生内容の各区切り毎に設けておくことができる。（図５（ｆ）中のＨ）。
【００３４】
この態様によれば、再生信号が終了した時点、あるいは再生内容の各区切りにおいて再生信号から受信信号に戻すため、再生内容を中断することなく表示することができ、再生内容の表示が完了した後、受信信号による表示を再開することができる（ステップＳ６）。
【００３５】
次に、受信信号入力端子へ戻す態様の第３は、受信信号の信号レベルが復帰したときに、定時刻などあらかじめ設定した時刻となった時点で、受信信号入力端子に切り換えて受信信号を出力する態様である。この第３の動作態様を図４のフローチャートを用いて説明する。
第３の動作態様では、前記した第１，２の動作態様と同様にして、ステップＳ１〜ステップＳ４の工程においてチューナー信号の中断に伴う処理を行い、再生信号を出力させる。なお、図５（ｇ）中のＡは図５（ａ）中のＡに対応し、図５（ｈ）中のＢは図５（ｂ）中のＢに対応し、図５（ｊ）中のＣは図５（ｃ）中のＣに対応している。
【００３６】
この後、電波状態の悪化、送信側の故障、あるいは受信手段の故障等が回復した場合には（図５（ｇ）中のＤ）、画像信号検出手段１２はこの受信信号が回復したことを検出して制御手段１１に送る（ステップＳ５）。制御手段１１はこの検出結果を受けると、直ちに受信信号への切り換えを行なわず、所定時刻となるまで再生信号入力端子２２又は記録再生手段５との接続を維持し、タイマーが定時刻や予め定めた時刻を検出した時点（図５（ｉ）中のＩ）で再生装置４あるいは記録再生手段５の駆動を停止させると共に（図５（ｈ）中のＪ）、画像信号マルチプレクサ１３及びオーディオ装置マルチプレクサ１４に切換制御信号を送り、接続を再生信号入力端子２２又は記録再生手段５から受信信号入力端子２１に切り換え、ステップＳ１に戻って受信信号を各出力端子２５，２６，２７から出力させ、画像表示あるいは音声表示させる。この態様によれば、受信信号による表示を定時刻などあらかじめ設定した時刻から再生することができ、放送内容の表示をはじめから行うことができる（ステップＳ７）。
【００３７】
次に、本発明の信号切換装置の第２の形態について説明する。図６は本発明の信号切換装置の第２の形態を説明する概略図であり、図７は第２の形態の動作例を説明するためのフローチャートであり、図８は第２の形態の動作例を説明するための信号状態図である。
第２の形態は、図６に示す様に、図１に示した第１の形態とほぼ同様とすることができ、画像信号検出手段１２の検出出力を入力し、当該検出出力を入力してから所定時間後に制御手段１１にタイマー出力を送るタイマー１８を備え、このタイマーによって受信信号の中断時間を計時し、中断時間の長さによって再生する再生内容を切り換えるものである。ここでは、図６の詳細な構成は図１と同様であるため説明を省略する。
【００３８】
次に、図６に示した第２の形態における動作態様例について、図７のフローチャート、及び図８の信号状態図を用いて説明する。
第２の動作態様では、前記第１の形態のステップＳ１と同様にして、チューナーからの受信信号を選択し表示する（ステップＳ１１）。
電波状態の悪化、送信側の故障、あるいは受信手段の故障等によって、受信信号レベルが低下あるいは中断した場合には（図８（ａ）中のＡ）、画像信号検出手段１２はこの検出結果を制御手段１１及びタイマー１８に送る（ステップＳ１２）。
【００３９】
タイマー１８は、画像信号検出手段１２からの検出結果を受けて計時を開始する（ステップＳ１３）。また、制御手段１１は同じく画像信号検出手段１２からの検出結果を受け、再生装置４又は記録再生手段５の駆動を開始させる（図８（ｂ）中のＢ）。再生装置４及び記録再生手段５には、予め画像情報や音声情報が記録されており、記録される再生内容は再生時間を異にして複数用意されている。例えば、再生時間が短い第１の再生内容、及び再生時間が長い第２の再生内容等が用意されている。なお、第１，２の再生内容の再生時間は任意に設定することができ、第１，２の再生時間の長短は単に相対的な比較を示すものである。
【００４０】
再生装置４又は記録再生手段５は、はじめに再生時間の短い第１の再生内容を含む第１の再生信号を再生信号入力端子２２を介して画像信号マルチプレクサ１３やオーディオ信号マルチプレクサ１４に入力する。再生装置４及び記録再生手段５に記録する情報として例えば広告情報とすることができる。また、記録再生手段５は、ネットワークを介して配信される配信情報を記録することもできる。
【００４１】
また、制御手段１１は画像信号マルチプレクサ１３及びオーディオ装置マルチプレクサ１４に切換制御信号を送り、受信信号入力端子２１との接続を再生信号入力端子２２又は記録再生手段５との接続に切り換え、第１の再生信号を各出力端子２５，２６，２７から出力させ、画像表示あるいは音声表示させる（図８（ｃ）中のＣ）（ステップＳ１４）。
【００４２】
タイマー１８は、再生を開始してからの継続時間ｔを監視し、第１の再生内容の時間Ｔ０と比較する。継続時間ｔが時間Ｔ０以内である場合には、第１の再生信号の入力を続行し、表示装置に第１の再生内容を表示させる（ステップＳ１６）。継続時間ｔが時間Ｔ０を超えた場合には、制御手段１１は再生装置４に再生内容を変更する制御信号を送り、第２再生内容を含む第２の再生信号を出力させ、表示装置に第２の再生内容を表示させる。なお、第１再生内容あるいは第２再生内容はそれぞれ複数種類用意することができ、この場合には、制御手段１１からの制御信号によって選択することができる（ステップＳ１７）。
【００４３】
第１再生内容の表示あるいは第２再生内容の表示の途中において、電波状態の悪化、送信側の故障、あるいは受信手段の故障等が回復した場合には、画像信号検出手段１２はこの受信信号の回復結果を制御手段１１に送る。制御手段１１はこの検出結果を受け、再生装置４又は記録再生手段５の駆動を停止させると共に、画像信号マルチプレクサ１３及びオーディオ装置マルチプレクサ１４に切換制御信号を送り、接続を再生信号入力端子２２又は記録再生手段５から受信信号入力端子２１に切り換え、ステップＳ１に戻って受信信号を各出力端子２５，２６，２７から出力させ、画像表示あるいは音声表示させる。
【００４４】
図８（ａ）中の（Ｄ）は、第１再生内容の表示の途中において、受信信号が回復した場合を示しており、この場合には、第１再生信号を停止して（図８（ｂ）中のＥ）、受信信号に戻す（図８（ｂ）中のＣ）（ステップＳ１５）。また、図８（ｄ）中の（Ｄ）は、第２再生内容の表示の途中において、受信信号が回復した場合を示している。この場合には、第１再生信号が終了した時点で受信信号が回復していないため（図８（ｅ）中のＧ）、再生装置から第２再生信号を再生させ（図８（ｆ）中のＨ）、第２の再生内容を表示させる（図８（ｇ）中のＩ）（ステップＳ１７）。
【００４５】
この後、第２の再生内容を表示している途中で受信信号が回復した場合には（図８（ｄ）中のＤ）、第２再生信号を停止して（図８（ｆ）中のＥ）、受信信号に戻す（図８（ｇ）中のＦ）（ステップＳ１５）。
なお、上記した第２の形態においても、前記第１の形態と同様に、制御手段は、受信信号の信号レベルの低下や停止した場合に受信信号を再生信号に切り換える、受信信号の信号レベルの低下や停止が回復することによって受信信号が復帰した場合には、種々の態様で受信信号入力端子へ戻すことができる。
【００４６】
次に、本発明の信号切換装置の第３の形態について説明する。図９は本発明の信号切換装置の第３の形態を説明する概略図であり、図１０は第３の形態の動作例を説明するためのフローチャートであり、図１１は第３の形態の動作例を説明するための信号状態図である。
第３の形態は、図９に示す様に、図１に示した第１の形態とほぼ同様とすることができ、時刻情報を制御手段１１に送る時計手段１９を備え、この時計手段１９によって受信信号の中断した時刻を求め、中断時刻によって再生する再生内容を切り換えるものである。ここでは、図９の構成は図１と同様であるため説明を省略する。
【００４７】
次に、図９に示した第３の形態における動作態様例について、図１０のフローチャート、及び図１１の信号状態図を用いて説明する。
第３の動作態様では、前記第１の形態のステップＳ１と同様にして、チューナーからの受信信号を選択し表示する（ステップＳ２１）。
電波状態の悪化、送信側の故障、あるいは受信手段の故障等によって、受信信号レベルが低下あるいは中断した場合には（図１１（ａ）中のＡ）、画像信号検出手段１２はこの検出結果を制御手段１１に送る（ステップＳ２２）。
【００４８】
制御手段１１は、画像信号検出手段１２からの検出結果を受けると、時計手段１９からこの時の時刻情報を入手し（ステップＳ２３）、時刻に応じた再生内容を再生するように再生装置４又は記録再生手段５に制御信号を送る。再生装置４及び記録再生手段５には複数の再生内容が用意され、制御手段１１にはこの再生内容を再生する時間帯が設定されており、時刻情報に基づいて対応する時間帯の再生内容を指示する制御信号を再生装置４又は記録再生手段５に送る。再生装置４に記録する情報として例えば広告情報とすることができる。記録再生手段５はネットワークを介して受信した配信情報を記録することができる（ステップＳ２４）。
【００４９】
また、制御手段１１は画像信号マルチプレクサ１３及びオーディオ装置マルチプレクサ１４に切換制御信号を送り、受信信号入力端子２１との接続を再生信号入力端子２２又は記録再生手段５との接続に切り換え、第１の再生信号を各出力端子２５，２６，２７から出力させ、画像表示あるいは音声表示させる（図１１（ｃ），（ｄ）中のＢ，Ｄ）（ステップＳ２５）。
制御手段１１は、受信信号の中断したときの時刻情報を入手し、その時間帯に応じて、例えば表示装置に第１の再生内容、あるいは第２の再生内容を表示させる（図１１（ｃ），（ｅ）中のＢ，Ｃ、図１１（ｄ），（ｅ）中のＤ，Ｅ）。なお、再生内容は第１再生内容や第２再生内容のみに限らず、任意の再生内容とすることができ、設定時間帯も任意に定めることができる。例えば、店舗等で使用する場合には、午前や午後、あるいは深夜時間等の時間帯別に設定することができる。
【００５０】
再生内容の表示の途中において、電波状態の悪化、送信側の故障、あるいは受信手段の故障等が回復した場合には、画像信号検出手段１２はこの受信信号の回復結果を制御手段１１に送る。制御手段１１はこの検出結果を受け、再生装置４又は記録再生手段５の駆動を停止させると共に、画像信号マルチプレクサ１３及びオーディオ装置マルチプレクサ１４に切換制御信号を送り、接続を再生信号入力端子２２又は記録再生手段５から受信信号入力端子２１に切り換え、ステップＳ１に戻って受信信号を各出力端子２５，２６，２７から出力させ、画像表示あるいは音声表示させる。
【００５１】
なお、上記した第３の形態においても、前記第１の形態と同様に、制御手段は、受信信号の信号レベルの低下や停止した場合に受信信号を再生信号に切り換える、受信信号の信号レベルの低下や停止が回復することによって受信信号が復帰した場合には、種々の態様で受信信号入力端子へ戻すことができる。
【００５２】
なお、前記第３の形態において、再生信号入力端子２２と記録再生手段５の何れを接続するか、あるいは何れの再生内容を再生するかは、制御手段１１に予め設定した条件、あるいは図示しない入力手段から入力する指令に基づいて選択することができる。
【００５３】
次に、本発明の信号切換装置の第４の形態について説明する。図１２は本発明の信号切換装置の第４の形態を説明する概略図であり、図１３は第４の形態の動作例を説明するためのフローチャートであり、図１４は第４の形態の動作例を説明するための信号状態図である。
第４の形態は、図１２に示す様に、図１に示した第１の形態とほぼ同様とすることができ、さらに、チューナー３からの受信信号を記録し所定の遅延時間の後に再生する一次記録再生手段６を備え、受信信号の中断が短時間の場合にはこの一次記録再生手段６によって表示が中断しないようにし、受信信号の中断が長引く場合には第１の形態と同様に入力端子を切り換えて再生装置又は記録再生手段に備える再生内容を表示するものである。ここでは、図１２の構成は図１と同様であるため説明を省略する。
【００５４】
次に、図１２に示した第４の形態における動作態様例について、図１３のフローチャート、及び図１４の信号状態図を用いて説明する。
第４の動作態様では、一次記録再生手段６は、チューナー３からの受信信号（図１４（ａ）中のＡ）を逐次記録し（図１１（ｂ）中のＢ）（ステップＳ３１）、所定の遅延時間の後に記録した受信信号を再生し、当該再生信号を順次出力する（図１４（ｃ）中のＣ）（ステップＳ３２）。制御手段１１は、一次記録再生手段６に切り換えることで、記録再生手段５からの再生信号を画像信号マルチプレクサ１３及びオーディオ信号マルチプレクサ１４を介して出力端子２５，２６，２７に出力する（図１４（ｄ）中のＤ）。これによって、表示装置には所定時間だけ遅延された受信信号が表示される（ステップＳ３３）。
【００５５】
電波状態の悪化、送信側の故障、あるいは受信手段の故障等によって、受信信号レベルが低下あるいは中断した場合には（図１４（ａ）中のＥ）、画像信号検出手段１２はこの検出結果を制御手段１１に送る（ステップＳ３４）。
制御手段１１は、画像信号検出手段１２からの検出結果を受けると、計時を開始して（ｔ＝０）（ステップＳ３５）、受信信号の中断時間ｔを計時する。記録再生手段５は受信信号の中断によって記録信号は停止するが（図１４（ｂ）中のＦ）、再生信号は遅延時間Ｔ１前の受信信号であるため、記録信号の停止と同時に再生信号が停止することはなく（図１４（ｃ）中のＧ）、再生信号が出力信号として出力される（図１４（ｃ）中のＨ）。
【００５６】
受信信号の中断が遅延時間Ｔ１以内に復帰した場合には（図１４（ａ）中のＩ）（ステップＳ３６）、一次記録再生手段６は受信信号の記録を再開し（図１４（ｂ）中のＪ）、中断前に記録した記録信号に続いて記録する。記録信号の再生は、中断時の記録信号に続いて記録再開時の記録信号を再生することで（図１４（ｃ）中のＫ）、中断することなく再生信号を出力することができる（図１４（ｄ）中のＬ）（ステップＳ３３）。
一方、受信信号の中断が遅延時間Ｔ１以内に復帰しない場合には（ステップＳ３６）、制御手段１１は再生装置４又は記録再生手段５を駆動させると共に（図１４（ｈ）中のＰ）（ステップＳ３７）、再生信号入力端子２２又は記録再生手段５に切り換えて再生信号を出力させる（図１４（ｉ）中のＱ）（ステップＳ３８）。
【００５７】
受信信号が復帰したときには（図１４（ｅ）中のＲ）（ステップＳ３９）、一次記録再生手段６への受信信号の記録を再開し（図１４（ｆ）中のＳ）、遅延時間Ｔ１が経過した後に再生を再開させる（図１４（ｇ）中のＴ）と共に再生装置４の再生を停止させ（図１４（ｈ）中のＵ）（ステップＳ３７）、入力端子２３に切り換えて記録再生手段５から再生信号を出力させる（図１４（ｉ）中のＶ）（ステップＳ３１〜３３）。
なお、一次記録再生手段が遅延時間によって表示の中断を防止した場合には、再生信号の遅延時間が短くなる。そこで、記録信号を再生する際に再生信号の再生速度を調整することによって所定の遅延時間に戻し、次に発生する受信信号の中断に備えることができる。
【００５８】
なお、上記した第４の形態においても、前記第１の形態と同様に、制御手段は、受信信号の信号レベルの低下や停止した場合に受信信号を再生信号に切り換える、受信信号の信号レベルの低下や停止が回復することによって受信信号が復帰した場合には、種々の態様で受信信号入力端子へ戻すことができる。
前記各形態において、画像信号マルチプレクサの出力信号にキャラクタ信号を付加することによって、画面上の画像にキャラクタを重ねて表示することもできる。
【００５９】
以下、図１５，１６を用いて本発明の信号切換装置の使用形態例について説明する。本発明の信号切換装置は、信号切換装置のみの単体による使用形態、セットトップボックス（ＳＴＢ）内に内蔵させる使用形態、モニタ受像器内に内蔵させる使用形態、録画装置内に内蔵させる使用形態等の種々の使用形態に適用することができる。
【００６０】
図１５（ａ）は信号切換装置のみの単体による使用形態を説明するための概略図である。この使用形態は前記各態様における使用形態であり、信号切換装置１に対して外部に設置するチューナー３及び再生装置４を接続する構成である。
【００６１】
図１５（ｂ）はセットトップボックス（ＳＴＢ）内に内蔵させる使用形態を説明するための概略図である。セットトップボックス（ＳＴＢ）は、映像配信サービスや放送サービスを受信してテレビ受像機やモニタ装置に表示させる装置である。セットトップボックス（ＳＴＢ）７は、受信手段２やチューナー３と共に本発明の信号切換装置１を内蔵する。
【００６２】
図１６（ａ）はモニタ受像機内に内蔵させる使用形態を説明するための概略図である。モニタ受像機８は本発明の信号切換装置１を内蔵する。また、図１６（ｂ）は録画装置内に内蔵させる使用形態を説明するための概略図である。録画装置９は記録再生手段５を備えると共に本発明の信号切換装置１を内蔵する。
【００６３】
【発明の効果】
以上説明したように、本発明によれば、受信信号の受信レベルが低下してモニタ画面上に画像表示が困難となった場合であっても、モニタを有効活用させることができる。
【図面の簡単な説明】
【図１】本発明の信号切換装置の第１の形態を説明する概略図である。
【図２】本発明の信号切換装置の第１の形態の動作例を説明するためのフローチャートである。
【図３】本発明の信号切換装置の第１の形態の動作例を説明するためのフローチャートである。
【図４】本発明の信号切換装置の第１の形態の動作例を説明するためのフローチャートである。
【図５】本発明の信号切換装置の第１の形態の動作例を説明するための信号状態図である。
【図６】本発明の信号切換装置の第２の形態を説明する概略図である。
【図７】本発明の信号切換装置の第２の形態の動作例を説明するためのフローチャートである。
【図８】本発明の信号切換装置の第２の形態の動作例を説明するための信号状態図である。
【図９】本発明の信号切換装置の第３の形態を説明する概略図である。
【図１０】本発明の信号切換装置の第３の形態の動作例を説明するためのフローチャートである。
【図１１】本発明の信号切換装置の第３の形態の動作例を説明するための信号状態図である。
【図１２】本発明の信号切換装置の第４の形態を説明する概略図である。
【図１３】本発明の信号切換装置の第４の形態の動作例を説明するためのフローチャートである。
【図１４】本発明の信号切換装置の第４の形態の動作例を説明するための信号状態図である。
【図１５】本発明の信号切換装置の使用形態例について説明するための概略図である。
【図１６】本発明の信号切換装置の使用形態例について説明するための概略図である。
【符号の説明】
１  信号切換装置
２  受信手段
３  チューナー
４  再生装置
５  記録再生手段
６  一次記録再生手段
７  セットトップボックス
８  モニタ受像機
９  録画装置
１１  制御手段
１２  画像信号検出手段
１３  画像信号マルチプレクサ
１４  オーディオ信号マルチプレクサ
１５，１６，１７  バッファ
１８  タイマー
１９  時計
２１，２２，２３  入力端子
２５，２６，２７  出力端子
【図１】
0003977618.tif 000002
【図２】
0003977618.tif 000003
【図３】
0003977618.tif 000004
【図４】
0003977618.tif 000005
【図５】
0003977618.tif 000006
【図６】
0003977618.tif 000007
【図７】
0003977618.tif 000008
【図８】
0003977618.tif 000009
【図９】
0003977618.tif 000010
【図１０】
0003977618.tif 000011
【図１１】
0003977618.tif 000012
【図１２】
0003977618.tif 000013
【図１３】
0003977618.tif 000014
【図１４】
0003977618.tif 000015
【図１５】
0003977618.tif 000016
【図１６】
0003977618.tif 000017